(57)【要約】【課題】机と椅子は、ベース本体により、好ましい位置に設置され、使用上、整合性を有し、本体ベースは、机、椅子と分装されて、保管と運送効率が向上し、コストダウンが可能である一体成形の机、椅子ベース改良構造を提供する。【解決手段】本考案の一体成形の机、椅子ベース改良構造は、特に、机と椅子のベースであるベース本体を提供し、それは、プラスチックの射出成形で、二端は、それぞれ、机組設部、椅子組設部を形成し、机組設部と椅子組設部間に、脚置放部を形成すると共に、ベース本体は、それぞれ、机本体と椅子本体に組設された配設孔を有する。【選択図】図５
0003110276.tif 000002
【実用新案登録請求の範囲】
【請求項１】
一体成形の椅子、机ベースの改良構造であって、特に、机と椅子のベースで、プラスチックの一体射出成形であるベース本体で、二端は、それぞれ、机組設部、椅子組設部を形成し、前記机組設部と前記椅子組設部間に、脚置放部を形成すると共に、前記ベース本体は、それぞれ、机本体と椅子本体に組設された配設孔を有し、
これにより、机と椅子は、前記ベース本体により、好ましい位置に設置され、使用上、整合性を有し、前記本体ベースは、机、椅子と分装されるので、保管と運送効率が向上し、コストダウンが可能であることを特徴とする改良構造。
【請求項２】
前記脚置放部は、表面に、複数のマッサージ効果を提供する突起を有することを特徴とする請求項１に記載の改良構造。
【請求項３】
前記ベース本体は、調整ブロックを組設することを特徴とする請求項１に記載の改良構造。
【請求項４】
前記ベース本体は、前記配設孔により、各素子を組設し、前記机本体と前記椅子本体を合わせて使用して、使用功能の実用目的を増進することを特徴とする請求項１に記載の改良構造。
【請求項５】
前記配設孔は、孔槽の実施形態であることを特徴とする請求項１に記載の改良構造。
【請求項６】
前記配設孔は斜向設置で、前記机本体、或いは、前記椅子本体に組設され、前記配設孔の斜度により、垂直と水平方向の調整が可能であることを特徴とする請求項１に記載の改良構造。
【考案の詳細な説明】
【技術分野】
【０００１】
本考案は、一体成形の椅子、机ベースの改良構造に関するものであって、特に、プラスチックの一体射出成形で、ベース本体上に、配設孔を有し、机と椅子を装設し、配設孔により、高度と距離が調整できる構造に関するものである。
【背景技術】
【０００２】
公知の机と椅子は、机の下、或いは、椅子の下に、それぞれ、脚座を有するので、使用者は、下に物品を放置したり、座ったり出来るが、以下のような欠点がある。
【０００３】
公知の机と椅子は、それぞれ、脚座を有し、使用者は、まず、椅子に腰掛け、机の位置により、自分に適切な椅子と机間の距離を調整する。しかし、使用者が調整する距離は、毎回同じではないので、机と椅子の好ましい使用状態に維持されず、長時間座ると、姿勢が悪くなる。
【０００４】
更に、公知の机と椅子は、それぞれ、脚座を有し、使用上、整合性がなく、即ち、椅子と机は調節しにくいという欠点がある。
【考案の開示】
【考案が解決しようとする課題】
【０００５】
公知の机と椅子の問題点を改善し、高度と距離が適切に調節でき、好ましい使用性と整合性を有し、保管、運送効率が向上でき、低コストであるベース本体を提供することを目的とする。
【課題を解決するための手段】
【０００６】
本考案の一体成形の机、椅子ベース改良構造は、特に、机と椅子のベースであるベース本体を提供し、それは、プラスチックの射出成形で、二端は、それぞれ、机組設部、椅子組設部を形成し、且つ、机組設部と椅子組設部間に、脚置放部を形成すると共に、ベース本体は、それぞれ、机本体と椅子本体に組設された配設孔を有する。
【考案の効果】
【０００７】
本考案により、机と椅子は、ベース本体により、好ましい位置に設置され、使用上、整合性を有し、本体ベースは、机、椅子と分装されるので、保管と運送効率が向上し、コストダウンが可能である。
【考案を実施するための最良の形態】
【０００８】
まず、図１〜図４は、本考案の外観図、断面図、もう一つの実施例の断面図である。
【０００９】
一体成形された机と椅子のベース改良構造は、特に、机と椅子のベースであるベース本体（１）を提供し、プラスチックの射出成形で、図１で示されるように、二端は、それぞれ、机組設部（１１）、椅子組設部（１２）を形成し、机組設部（１１）と椅子組設部（１２）間に、脚置放部（１３）を形成する。脚置放部（１３）は、図２で示されるように、表面に、複数の突起（１３１）を形成し、ベース本体（１）は、それぞれ、机本体（２）と椅子本体（３）に組設された図１〜図３で示されるような配設孔（１４）を有し、或いは、配設孔（１４）は図４で示されるような孔槽を呈して、机本体（２）と椅子本体（３）を組装する。配設孔（１４）は斜向設置で、机本体（２）、或いは、椅子本体（３）の設置は、配設孔（１４）の斜度により、垂直と水平方向に調整が可能である。最後に、ベース本体（１）底部に、調節ブロック（１５）を組設し、更に、本考案のベース本体は、配設孔（１４）により、各素子を組設し、机本体（２）と椅子本体（３）を合わせて使用でき、実用目的を増進させている。
【００１０】
よって、机本体（２）と椅子本体（３）は、ベース本体（１）により、好ましい位置に設置され、使用上、更に便利で、且つ、ベース本体（１）は、机本体（２）、及び、椅子本体（３）と分装するので、保管、運送の効率を向上させ、コストを抑制する効果がある。
【００１１】
図５、及び、図６は、本考案を示す図である。
【００１２】
本考案の使用時、机本体（２）と椅子本体（３）は、それぞれ、机組設部（１１）、及び、椅子組設部（１２）の配設孔（１４）内に設置され、配設孔（１４）の斜向設置により、机本体（２）、或いは、椅子本体（３）の設置は、垂直と水平方向に調整でき、実用的であるに加え、ベース本体（１）は一体成形であるので、机組設部（１１）と椅子組設部（１２）は、最適な位置に設置され、使用者が実際に椅子に座る時、好ましい姿勢を保つことが出来ると同時に、ベース本体（１）は、脚置放部（１３）を形成しているので、使用者の座る姿勢に、安定感を与え、又、脚置放部（１３）表面は突起（１３１）を有するので、脚ツボマッサージが可能である。また、調整ブロック（１５）は、地面の高低に合わせて微調整が可能である。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】本考案のベース本体を示した説明図である。
【図２】本考案のベース本体のもう一つの実施例を示した外観図である。
【図３】図２の断面図である。
【図４】本考案のベース本体のもう一つの実施例を示した断面図である。
【図５】本考案の実施例を示した説明図である。
【図６】本考案の実施例の作動側視図である。
【符号の説明】
【００１５】
１…ベース本体
１１…机組設部
１２…椅子組設部
１３…脚置放部
１３１…突起
１４…配設孔
１５…調整ブロック
２…机本体
３…椅子本体    
【図１】
0003110276.tif 000003
【図２】
0003110276.tif 000004
【図３】
0003110276.tif 000005
【図４】
0003110276.tif 000006
【図５】
0003110276.tif 000007
【図６】
0003110276.tif 000008